(57)【要約】【課題】新旧の異種コネクタの複合一体化に容易に対応することができ、新旧の異種コネクタの複合一体化による省スペース化を図ることができる複合型コネクタを提供する。【解決手段】複合型コネクタ１は、第１の相手側コネクタを嵌合するコネクタボディ部１０Ａ、第２の相手側コネクタと接続する予め別体として組み立てた第２のコネクタ５０を嵌合収納するコネクタ装着部１０Ｂ、コネクタボディ部１０Ａとコネクタ装着部１０Ｂとの仕切り部１０Ｃを多段に一体成形した樹脂製のボディ１０と、コネクタボディ部１０Ａに固着し、第１の相手側コネクタと接続する第１のコネクタ７０をコネクタボディ部１０Ａとで構成する複数のコンタクト６０と、第２のコネクタ５０と、ボディ１０に被着する金属性のケース４０とを備え、第１のコネクタ７０と第２のコネクタ５０とを仕切り部１０Ｃを挟んで縦方向に配置する。【選択図】図１
2007172907.tif 000002
【特許請求の範囲】
【請求項１】
第１の相手側コネクタを嵌合するコネクタボディ部、前記第１の相手側コネクタとは異種の第２の相手側コネクタと接続する予め別体として組み立てた第２のコネクタを嵌合収納するコネクタ装着部、及び前記コネクタボディ部と前記コネクタ装着部との仕切り部を多段に一体成形した樹脂製のボディと、前記コネクタボディ部に固着し、前記第１の相手側コネクタと接続する第１のコネクタを前記コネクタボディ部とで構成する複数のコンタクトと、前記第２のコネクタと、前記ボディに被着する金属性のケースとを備え、前記第１のコネクタと前記第２のコネクタとを仕切り部を挟んで縦方向に配置したことを特徴とする複合型コネクタ。
【請求項２】
前記仕切り部に被着する金属性のシェルを備え、自由端部を前記コネクタボディ部に突出する片持ち梁状の第１のバネ部と、自由端部を前記コネクタ装着部に突出する片持ち梁状の第２のバネ部と、自由端部を前記ケースに圧接する片持ち梁状の第３のバネ部とを、前記シェルの一部で形成した請求項１に記載の複合型コネクタ。
【請求項３】
前記シェルを上下左右対称に形成した請求項２に記載の複合型コネクタ。
【請求項４】
第１のコネクタをｅＳＡＴＡ（External Serial Advanced Technology Attachment）コネクタとし、第２のコネクタをＨＤＭＩ（High-Definition Multimedia Interface：登録商標）コネクタとした請求項１乃至３の何れか１に記載の複合型コネクタ。
【発明の詳細な説明】
【技術分野】
【０００１】
本発明は、複数のコネクタを複合一体化し、省スペース化を図るための複合型コネクタに関する。
【背景技術】
【０００２】
デジタル機器間を接続する様々なインターフェース規格が存在する中、次々に新たなインターフェース規格が策定・規格化されるのに伴って、デジタル機器には異種のコネクタが多数搭載され、機器側のコネクタ配置スペースがなくなってきている。例えば、ｅＳＡＴＡ規格は、Ｓerial ＡＴＡ 1.0aの拡張規格であって、シリアルＡＴＡを外付けドライブとして利用可能にするための規格として、本願出願時点で規格化が進行中であり、ＰＣ、ＳＴＢ、ＤＶＤレコーダ等のデジタル機器において、ＨＤＤを外部接続するためにｅＳＡＴＡコネクタの搭載が進むが、他のコネクタとして既にＵＳＢ2.0コネクタ、ＩＥＥＥ１３９４コネクタ、ＨＤＭＩコネクタ、光コネクタ等が搭載されており、機器側のコネクタ配置スペースがなくなってきている。このため、コネクタの複合一体化を行い、省スペース化を図ることが望まれている。
【０００３】
そして、複数のコネクタを複合一体化し、省スペース化を図るための従来の複合コネクタの中で、特許文献１に記載されているコネクタは、樹脂製のボディを金属製の外側フレームによって取り囲み、外側フレームの内部空間を金属製の内側フレームよって上下２段のプラグ挿入空間に区画し、ボディから上下のプラグ挿入空間にそれぞれ突出される組み付け部にコンタクトを組み付けることによって、同じコネクタを上下２段に構成するものであった。
【特許文献１】特開２０００−２６０５１５号公報
【発明の開示】
【発明が解決しようとする課題】
【０００４】
本発明が解決しようとする課題は、従来の複合型コネクタでは、各コネクタがボディを共用するため、例えばｅＳＡＴＡコネクタ等の新たに搭載するコネクタをＨＤＭＩコネクタ等の既存のコネクタに複合一体化する場合、全体を一から作る必要があり、新旧の異種コネクタの複合一体化には対応することが困難な点にある。
【課題を解決するための手段】
【０００５】
上記課題を解決するために本発明は、第１の相手側コネクタを嵌合するコネクタボディ部、前記第１の相手側コネクタとは異種の第２の相手側コネクタと接続する予め別体として組み立てた第２のコネクタを嵌合収納するコネクタ装着部、及び前記コネクタボディ部と前記コネクタ装着部との仕切り部を多段に一体成形した樹脂製のボディと、前記コネクタボディ部に固着し、前記第１の相手側コネクタと接続する第１のコネクタを前記コネクタボディ部とで構成する複数のコンタクトと、前記第２のコネクタと、前記ボディに被着する金属性のケースとを備え、前記第１のコネクタと前記第２のコネクタとを仕切り部を挟んで縦方向に配置したことを特徴とするものである。
【０００６】
上記構成により、第１のコネクタと第２のコネクタの横方向（幅方向）のコネクタ実装占有寸法は、第１のコネクタと第２のコネクタを複合一体化していない場合に比べ半減し、省スペース化を図ることができる。またコネクタボディ部にコンタクトを固着し、新たに搭載するコネクタとして第１のコネクタを構成する一方、この第１のコネクタに予め別体として組み立てた第２のコネクタを既存のコネクタとして複合一体化することで、新旧の異種コネクタの複合一体化に容易に対応することができる。しかも既存のコネクタを第１のコネクタと複合一体化する第２のコネクタとして使用することができ、逆に言えば第２のコネクタを第１のコネクタと複合一体化しない状態で単体としても使用することができ、このような部品の共用化によりコスト削減も行うことができる。
【０００７】
本発明において、前記仕切り部に被着する金属性のシェルを備え、自由端部を前記コネクタボディ部に突出する片持ち梁状の第１のバネ部と、自由端部を前記コネクタ装着部に突出する片持ち梁状の第２のバネ部と、自由端部を前記ケースに圧接する片持ち梁状の第３のバネ部とを、前記シェルの一部で形成することが望ましい。
【０００８】
上記構成を採用することにより、第１のバネ部は第１のコネクタに相手側コネクタを嵌合時、その相手側コネクタを保持し、意図しない抜け落ちを防止する。これに対し、第２のバネ部は第２のコネクタのカバーと電気的に接続すると共に、第３のバネ部はケースと電気的に接続する。これによって、第２のコネクタのカバーはシェルを介してケースと電気的に接続され、第１のコネクタと共通シールドを構成することができる。
【０００９】
本発明において、前記シェルを上下左右対称に形成することが望ましい。
【００１０】
上記構成を採用することにより、シェルは組み立て時に方向性を持たず、組み立て性の向上を図ることができる。
【００１１】
本発明において、第１のコネクタをｅＳＡＴＡコネクタとし、第２のコネクタをＨＤＭＩコネクタとすることにより、ｅＳＡＴＡコネクタとＨＤＭＩコネクタとの複合一体化による省スペース化を図ることができる。
【発明の効果】
【００１２】
本発明によれば、新旧の異種コネクタの複合一体化に容易に対応することができ、新旧の異種コネクタの複合一体化による省スペース化を図ることができる。特にｅＳＡＴＡコネクタとＨＤＭＩコネクタとの複合一体化による省スペース化を図ることができる。
【発明を実施するための最良の形態】
【００１３】
以下、本発明の第１の実施の形態を図１〜図１４を参照して説明する。図１は本発明の第１の実施の形態に係る複合型コネクタの前面斜視図、図２は同複合型コネクタの後面斜視図、図３は同複合型コネクタの断面図、図４は同複合型コネクタのボディの前面斜視図、図５は同複合型コネクタのシェルの前面斜視図、図６は同複合型コネクタのカバーの前面斜視図、図７は同複合型コネクタの第２のコネクタ（ＨＤＭＩコネクタ）の前面斜視図、図８は同複合型コネクタの第１の組み立て工程を示す前面斜視図、図９は同複合型コネクタの第１の組み立て工程後の前面斜視図、図１０は同複合型コネクタの第２の組み立て工程を示す前面斜視図、図１１は同複合型コネクタの第２の組み立て工程後の前面斜視図、図１２は同複合型コネクタの第２の組み立て工程後の断面図、図１３は同複合型コネクタの第３の組み立て工程を示す前面斜視図、図１４は同複合型コネクタの第３の組み立て工程を示す後面斜視図である。
【００１４】
図１〜図３に示すように、複合型コネクタ１は、ボディ１０、シェル３０、ケース４０、第２の相手側コネクタであるＨＤＭＩプラグ（図示省略）と接続する予め別体として組み立てた第２のコネクタであるＨＤＭＩコネクタ（ＨＤＭＩレセプタクル）５０、複数のコンタクト６０、から構成される。
【００１５】
図１〜図３及び図４に示すように、ボディ１０は、横方向（幅方向）で対向する左右側壁１１ａ，１１ｂ、左右側壁１１ａ，１１ｂを上下中間部で相互に繋ぐ水平な連結板１１ｃ、連結板１１ｃの前端から直角に立ち上り左右側壁１１ａ，１１ｂの上部前側縁を相互に繋ぐ垂直な前端壁１１ｄ、を有する後面視Ｈ形のボディ本体１１、ボディ本体１１の前端壁１１ｄの上側の左右角部から前方に向かって平行に突出する断面コ形の左右プラグ挿抜ガイド１２ａ，１２ｂ、ボディ本体１１の前端壁１１ｄから左右プラグ挿抜ガイド１２ａ，１２ｂの間に水平に突出する前部コンタクト保持板１３、前部コンタクト保持板１３と同じ高さ位置でボディ本体１１の前端壁１１ｄから後方に向かって水平に突出する後部コンタクト保持板１４、後部コンタクト保持板１４の上面からボディ本体１１の前端壁１１ｄを貫通して前部コンタクト保持板１３の上面に並設する複数の細幅のコンタクト圧入溝１５、ボディ本体１１の連結板１１ｃより下側の左右側壁１１ａ，１１ｂから前方に向かって平行に突出する左右側板１６ａ，１６ｂ、左右側板１６ａ，１６ｂの基端部の下側縁間に架設する梁１７、梁１７の中央部から前方に向かって水平に突出するケース支持板１８、左右側板１６ａ，１６ｂの前端下部から内側に向かって突出する左右コネクタ係合爪１９ａ，１９ｂ、ボディ本体１１の前端壁１１ｄから左右プラグ挿抜ガイド１２ａ，１２ｂと左右側板１６ａ，１６ｂの間に水平に突出する仕切り壁２０、仕切り壁２０の上面に前後方向に平行に設ける左右Ｕ字溝２１ａ，２１ｂ、左右プラグ挿抜ガイド１２ａ，１２ｂの外面からボディ本体１１の左右側壁１１ａ，１１ｂの上部外面に前後方向に連続して設ける左右の上部ケース嵌合ガイド溝２２ａ，２２ｂ、左右側板１６ａ，１６ｂの外面からボディ本体１１の左右側壁１１ａ，１１ｂの下部外面に前後方向に連続して設ける左右の下部ケース嵌合ガイド溝２３ａ，２３ｂ、左右の上部嵌合ガイド溝２２ａ，２２ｂの中でその前後中間部に突出する左右の上部ケース係合爪２４ａ，２４ｂ、左右の下部嵌合ガイド溝２３ａ，２３ｂの中でその前後中間部に突出する左右の下部ケース係合爪２５ａ，２５ｂ、仕切り壁２０の左右外面からボディ本体１１の左右側壁１１ａ，１１ｂの上下中間部外面に前後方向に連続して設け、仕切り壁２０の左右外面からボディ本体１１の左右側壁１１ａ，１１ｂの上下中間部外面を、左右プラグ挿抜ガイド１２ａ，１２ｂと左右側板１６ａ，１６ｂとボディ本体１１の左右側壁１１ａ，１１ｂの上下部の面一な各外面よりシェル３０の略板厚分だけ内側に凹ませる左右浅溝２６ａ，２６ｂ、ボディ本体１１の左右側壁１１ａ，１１ｂの上下中間部の後縁に設ける左右のシェル係合切り欠き２７ａ，２７ｂ、ボディ本体１１の連結板１１ｃの後端に並設する複数の細幅のコンタクト保持溝２８、を一体成形した全体の外形が略直方体状の樹脂成型品であって、ボディ本体１１の前端壁１１ｄの上部と、左右プラグ挿抜ガイド１２ａ，１２ｂと、前部コンタクト保持板１３とによって第１の相手側コネクタであるｅＳＡＴＡプラグ（図示省略）を嵌合するコネクタボディ部１０Ａを構成し、左右側板１６ａ，１６ｂと、梁１７と、仕切り壁２０とによってＨＤＭＩコネクタ５０を嵌合収納する前面及び後面開放の空間であるコネクタ装着部１０Ｂを構成し、仕切り壁２０によってコネクタボディ部１０Ａとコネクタ装着部１０Ｂとの仕切り部１０Ｃを構成し、これによって、ボディ１０に、コネクタボディ部１０Ａとコネクタ装着部１０Ｂと仕切り部１０Ｃとを縦方向（高さ方向）に積み重ねた状態で上下多段に一体成形している。
【００１６】
図１〜図３及び図５に示すように、シェル３０は、金属薄板を打ち抜き加工及び曲げ加工して形成したもので、ボディ１０の仕切り部１０Ｃを構成する仕切り壁２０の外側に嵌合被着する前面及び後面開放の扁平な四角筒形のシェル本体３１、シェル本体３１の左右側板部から後方に向かって平行に突出する板片でなる左右脚部３２ａ，３２ｂ、シェル本体３１の上側板部の一部を上方に切り起こして形成した片持ち梁状の板バネ片でなる左右の第１のバネ部３３ａ，３３ｂ、シェル本体３１の下側板部の一部を下方に切り起こして形成した片持ち梁状の板バネ片でなる左右の第２のバネ部３４ａ，３４ｂ、シェル本体３１の左右側板部の一部を外側方に切り起こして形成した片持ち梁状の板バネ片でなる左右の第３のバネ部３５ａ，３５ｂ、左右脚部３２ａ，３２ｂの先端部の一部を内側方に切り起こして形成した板片でなる左右のボディ係合爪３６ａ，３６ｂ、を一体に設けている。またシェル３０は、上下左右対称に形成している。
【００１７】
図１〜図３及び図６に示すように、ケース４０は、金属薄板を打ち抜き加工及び曲げ加工して形成したもので、ボディ１０の外側に嵌合被着する前面及び後面開放の四角筒形のケース本体４１、ケース本体４１の上側板部の一部を下方に切り起こして形成した片持ち梁状の板バネ片でなる左右の第１のバネ部４２ａ，４２ｂ、ケース本体４１の下側板部の左右端部の一部を上方に切り起こして形成した板片でなる左右コネクタ係合爪４３ａ，４３ｂ、ケース本体４１の左右側板部の上部の一部を内側方に切り起こして形成した片持ち梁状の板バネ片でなる左右の第２のバネ部４４ａ，４４ｂ、ケース本体４１の左右側板部の下部の一部を内側方に切り起こして形成した片持ち梁状の板バネ片でなる左右の第３のバネ部４５ａ，４５ｂ、ケース本体４１の下面四隅部から下方に向けて突出する４本の脚部４６、ケース本体４１の左右側板部の前側縁から外側方に向けて直角に延設し、ケース本体４１の前面左右両側に突出する左右のケース固定用フランジ４７ａ，４７ｂ、を一体に設けている。なお、ケース本体４１の下側板部は、ケース本体４１の下面前半部に設けており、ケース本体４１の下面後半部は開放されている。
【００１８】
図１〜図３及び図７に示すように、ＨＤＭＩコネクタ５０は、細幅の金属薄板からなる複数のコンタクト５１、樹脂成型品であって、コンタクト５１を固着するボディ５２、金属薄板を打ち抜き加工及び曲げ加工して形成し、ボディ５２に嵌合被着するカバー（シェル）５３、から構成され、カバー５３に基板に対する半田付け用の脚部が設けられていない点、ボディ５２からＨＤＭＩコネクタ５０の後面側に引き出された各コンタクト５１、つまりリード端子部５１ａはＳＭＴタイプにＺ曲げされて、先端部がＨＤＭＩコネクタ５０の底面より下側にまで延出され、略同一高さに揃えられている点、以外は周知のＨＤＭＩコネクタと同じ構造である。なお、各リード端子部５１ａの先端部は、横一列に配列されている。
【００１９】
図３に示すように、各コンタクト６０は、Ｌ形に曲げられた細幅の金属薄板からなる。
【００２０】
上記のような構成部品から複合型コネクタ１を組み立てるには、先ず、図８に示すように、ボディ１０の前方にシェル３０を配置し、仕切り壁２０の前面とシェル本体３１の後側開口を対向させる。この状態で、シェル３０をボディ１０に接近させ、左右脚部３２ａ，３２ｂの先端部を左右浅溝２６ａ，２６ｂの前端部に差し込む。この状態で、シェル３０を後方に押すことにより、左右脚部３２ａ，３２ｂの先端部が左右浅溝２６ａ，２６ｂの後側へと嵌り込み、これに伴ってシェル本体３１の後端部が仕切り壁２０の前端部外側に嵌合される。この状態で、シェル本体３１の後端がボディ本体１１の前端壁１１ｄに突き当たるまで、シェル３０をさらに後方に押し込むことにより、図９に示す状態で、シェル３０がボディ１０に組み付けられる。
【００２１】
図９に示すように、シェル３０がボディ１０に組み付けられると、シェル本体３１が仕切り壁２０の外側に嵌合被着され、シェル本体３１によって覆われた仕切り部１０Ｃが構成される。また左右脚部３２ａ，３２ｂの先端部は左右浅溝２６ａ，２６ｂの後端部に嵌り込み、これに伴って左右のボディ係合爪３６ａ，３６ｂが左右のシェル係合切り欠き２７ａ，２７ｂに嵌り込み、シェル３０の抜け止めが行われる。シェル本体３１の左右側板部の外面及び左右脚部３２ａ，３２ｂの外面は、この上下の左右プラグ挿抜ガイド１２ａ，１２ｂと左右側板１６ａ，１６ｂとボディ本体１１の左右側壁１１ａ，１１ｂの上下部の面一な各外面と面一になっている。さらにシェル３０の左右の第１のバネ部３３ａ，３３ｂは、自由端部（前端部）をボディ１０のコネクタボディ部１０Ａの下部、つまり前部コンタクト保持板１３の下側に突出する。これに対し、シェル３０の左右の第２のバネ部３４ａ，３４ｂは、自由端部（前端部）をボディ１０のコネクタ装着部１０Ｂの上部に突出する。またシェル３０の左側の第３のバネ部３５ａは、自由端部（後端部）をボディ１０の面一になった左外側面より外側に突出する。これに対し、シェル３０の右側の第３のバネ部３５ｂは、自由端部（後端部）をボディ１０の面一になった右外側面より外側に突出する。なお、第１のバネ部３３ａ，３３ｂの下側には、仕切り壁２０の上面に設けた左右Ｕ字溝２１ａ，２１ｂが配置される。
【００２２】
ここで、シェル３０は上下左右対称に形成しているため、方向性を持たず、上下を逆にしてボディ１０に組み付けたとしても、左右の第２のバネ部３４ａ，３４ｂの自由端部（前端部）が、ボディ１０のコネクタボディ部１０Ａの下部に突出し、左右の第１のバネ部３３ａ，３３ｂの自由端部（前端部）が、ボディ１０のコネクタ装着部１０Ｂの上部に突出し、左側の第３のバネ部３５ａの自由端部（後端部）が、ボディ１０の面一になった右外側面より外側に突出し、右側の第３のバネ部３５ｂの自由端部（後端部）がボディ１０の面一になった左外側面より外側に突出し、上下を逆にせずにボディ１０に組み付けたときと全く同じ状態になる。これによって、ボディ１０に対するシェル３０の組み付け作業が、シェル３０の組み付け方向等に注意を払うことなく簡単に行えるようになり、複合型コネクタ１を組み立て性の向上を図ることができる。
【００２３】
次に、図１０に示すように、シェル３０を組み付けたボディ１０の前方にケース４０を配置し、ボディ１０の前面とケース本体４１の後側開口を対向させる。この状態で、ケース４０をボディ１０に接近させ、ケース本体４１の後端部をボディ１０の前端部外側に嵌め込む。この状態で、ケース４０を後方に押すことにより、ケース本体４１の後端部がボディ１０の後側へと嵌り込み、これに伴って左右の第２のバネ部４４ａ，４４ｂの自由端部（前端部）が左右の上部ケース嵌合ガイド溝２２ａ，２２ｂの前端部に嵌り込み、また左右の第３のバネ部４５ａ，４５ｂの自由端部（前端部）が左右の下部ケース嵌合ガイド溝２３ａ，２３ｂの前端部に嵌り込む。この状態で、ケース４０を後方に押し込むことにより、ケース本体４１が、左右の第２のバネ部４４ａ，４４ｂ及び左右の第３のバネ部４５ａ，４５ｂを介して左右の上部ケース嵌合ガイド溝２２ａ，２２ｂ及び左右の下部ケース嵌合ガイド溝２３ａ，２３ｂに案内され、ケース本体４１の傾きやこじれが防止されながら、ボディ１０の外側にスムーズに嵌合され、ケース本体４１の下側板部がケース支持板１８の前端部上面に乗り上げる。この状態で、ケース本体４１の下側板部の後端が梁１７の前面に突き当たるまで、ケース４０をさらに後方に押し込むことにより、図１１，図１２に示す状態で、ケース４０がボディ１０に組み付けられる。
【００２４】
図１１，図１２に示すように、ケース４０がボディ１０に組み付けられると、ケース本体４１がボディ１０に嵌合被着され、ボディ１０の上面、左右側面、下面の前半部がケース本体４１によって覆われ、ノイズ遮蔽作用を発揮する電磁波シールドが構成される。これに伴って、コネクタ装着部１０Ｂの開放された下面がケース本体４１の下側板部によって閉鎖され、シェル本体３１によって覆われた仕切り部１０Ｃと左右側板１６ａ，１６ｂとケース本体４１の下側板部によって四方が囲われ、前面及び後面開放された空間であるコネクタ装着部１０Ｂが構成される。また左右の第１のバネ部４２ａ，４２ｂは、自由端部（前端部）をボディ１０のコネクタボディ部１０Ａの上部、つまり前部コンタクト保持板１３の上側に突出する。左右の第２のバネ部４４ａ，４４ｂの自由端部及び左右の第３のバネ部４５ａ，４５ｂの自由端部は、ケース本体４１の下側板部の後端が梁１７の前面に突き当たる少し前の時点で、左右の上部ケース係合爪２４ａ，２４ｂ及び左右の下部ケース係合爪２５ａ，２５ｂに、外側への弾性変位を伴って前側から乗り上がり、ケース本体４１の下側板部の後端が梁１７の前面に突き当った時点で、左右の上部ケース係合爪２４ａ，２４ｂ及び左右の下部ケース係合爪２５ａ，２５ｂを乗り越え、内側への弾性復帰を伴って左右の上部ケース係合爪２４ａ，２４ｂ及び左右の下部ケース係合爪２５ａ，２５ｂより後側の左右の上部ケース嵌合ガイド溝２２ａ，２２ｂ及び左右の下部ケース嵌合ガイド溝２３ａ，２３ｂに嵌り込み、ケース４０の抜け止めが行われる。この抜け止め及びケース本体４１の下側板部の後端と梁１７の前面との当接によって、ケース４０がボディ１０に固定されて嵌合状態が保持される。
【００２５】
ここで、シェル３０の左右の第３のバネ部３５ａは、自由端部をケース本体４１の左右側板部の内面に圧接し、ケース５０と電気的に接続され、これによって、シェル３０とカバー４０が電気的に接続される。
【００２６】
次に、図１３，図１４に示すように、シェル３０とカバー４０を組み付けたボディ１０の後方にＨＤＭＩコネクタ５０を配置し、コネクタ装着部１０Ｂの後側開口とＨＤＭＩコネクタ５０のプラグ挿入口を開口する前面を対向させる。この状態で、ＨＤＭＩコネクタ５０をボディ１０に接近させ、ＨＤＭＩコネクタ５０の前端部をボディ本体１１の連結板１１ｃより下側の左右側壁１１ａ，１１ｂの間からコネクタ装着部１０Ｂの後端部に嵌め込む。この状態で、ＨＤＭＩコネクタ５０のボディ５２の前端が左右コネクタ係合爪１９ａ，１９ｂの後面に突き当たるまで、ＨＤＭＩコネクタ５０をさらに前方に押し込むことにより、図１〜図３に示す状態で、ＨＤＭＩコネクタ５０がコネクタ装着部１０Ｂに嵌合収納されてボディ１０に組み付けられる。
【００２７】
図１〜図３に示すように、ＨＤＭＩコネクタ５０がコネクタ装着部１０Ｂに嵌合収納されてボディ１０に組み付けられると、ＨＤＭＩコネクタ５０の前端部がコネクタ装着部１０Ｂの前端部に嵌り込み、コネクタ装着部１０Ｂの前面にＨＤＭＩコネクタ５０のプラグ挿入口が開口される。またケース４０の左右コネクタ係合爪４３ａ，４３ｂがＨＤＭＩコネクタ５０の下面に設けられた係合凹部（図示省略）に嵌り込み、ＨＤＭＩコネクタ５０の抜け止めが行われる。この抜け止め及びＨＤＭＩコネクタ５０のボディ５２の前端と左右コネクタ係合爪１９ａ，１９ｂの後面との当接によって、ＨＤＭＩコネクタ５０がコネクタ装着部１０Ｂに固定されて嵌合状態が保持される。ＨＤＭＩコネクタ５０の各リード端子部５１ａは、先端部が梁１７の後面側に延出され、ボディ本体１１の左右側壁１１ａ，１１ｂの間にこの下端と略同一高さで横一列に配列されている。
【００２８】
ここで、シェル３０の左右の第２のバネ部３４ａ，３４ｂは、自由端部（前端部）をＨＤＭＩコネクタ５０のカバー５３の上面に圧接し、そのカバー５３と電気的に接続される。これによって、ＨＤＭＩコネクタ５０のカバー５３は、シェル３０を介してケース４０と電気的に接続され、後述する第１のコネクタと共通シールドを構成することができる。
【００２９】
そして最後に、図１〜図３に示すように、各コンタクト６０の一端側をボディ１０の後方からコンタクト圧入溝１５に最後まで圧入し、後部コンタクト保持板１４の上面からボディ本体１１の前端壁１１ｄを貫通して前部コンタクト保持板１３の上面に横並び状態で固着すると共に、各コンタクト６０の他端側の中間部を各コンタクト保持溝２８に嵌め込み、ボディ本体１１の連結板１１ｃの後端に保持し、各コンタクト６０の他端側をボディ本体１１の左右側壁１１ａの後端間で平行に垂下し、その下端をボディ本体１１の左右側壁１１ａ，１１ｂの下端より下方に突出し、各コンタクト６０をボディ１０に組み付け、複合型コネクタ１を組み立てを完了する。
【００３０】
図１〜図３に示すように、複合型コネクタ１の組み立てを完了すると、ボディ１０のコネクタボディ部１０Ａと、コネクタボディ部１０Ａの上面に横並び状態で固着され、表面がコネクタボディ部１０Ａの上面に面一に露出された各コンタクト６０によって、ボディ１０のシェル本体３１によって覆われた仕切り部１０Ｃの上側にｅＳＡＴＡプラグと接続する第１のコネクタであるｅＳＡＴＡコネクタ７０が構成される。そして、ボディ１０のシェル本体３１によって覆われた仕切り部１０Ｃの下側のコネクタ装着部１０Ｂには、上記のように予め別体として組み立てたＨＤＭＩコネクタ５０が既に嵌合収納されている。これによって、ｅＳＡＴＡコネクタ７０とＨＤＭＩコネクタ５０とをシェル本体３１によって覆われた仕切り部１０Ｃを挟んで縦方向（高さ方向）に積層配置し、これらｅＳＡＴＡコネクタ７０とＨＤＭＩコネクタ５０とを複合一体化した複合型コネクタ１が構成される。
【００３１】
以上のように構成された複合型コネクタ１は、ケース４０の４本の脚部４６と、ｅＳＡＴＡコネクタ７０の各コンタクト６０のディップタイプのリード端子部６０ａの先端部（下端部）と、ＨＤＭＩコネクタ５０の各コンタクト５１のＳＭＴタイプのリード端子部５１ａの先端部とを、それぞれ基板（図示省略）に半田で固着し、かつ基板と電気的に接続し、基板上に実装すると共に、ケース固定用フランジ４７ａ，４７ｂを端子パネルにネジ止めした状態で、デジタル機器に他のコネクタと共に搭載されて使用される。
【００３２】
ここで、複合型コネクタ１は、ｅＳＡＴＡコネクタ７０とＨＤＭＩコネクタ５０とをシェル本体３１によって覆われた仕切り部１０Ｃを挟んで縦方向（高さ方向）に積層配置し、これらｅＳＡＴＡコネクタ７０とＨＤＭＩコネクタ５０とを複合一体化したものであるため、ｅＳＡＴＡコネクタ７０とＨＤＭＩコネクタ５０の横方向（幅方向）のコネクタ実装占有寸法は、ｅＳＡＴＡコネクタ７０とＨＤＭＩコネクタ５０を複合一体化していない場合に比べ半減し、省スペース化を図ることができる。またボディ１０のコネクタボディ部１０Ａに複数のコンタクト６０を固着し、新たに搭載するコネクタとしてｅＳＡＴＡコネクタ７０を構成する一方、このｅＳＡＴＡコネクタ７０に予め別体として組み立てたＨＤＭＩコネクタ５０を既存のコネクタとして複合一体化することで、ｅＳＡＴＡコネクタ７０とＨＤＭＩコネクタ５０の新旧の異種コネクタの複合一体化に容易に対応することができる。しかも既存のＨＤＭＩコネクタのカバーを半田付け用の脚部が無いカバー５３に代え、またコンタクトをリード端子部５１ａを有するコンタクト５１代えることで、ｅＳＡＴＡコネクタ７０と複合一体化するＨＤＭＩコネクタ５０として使用することができ、逆に言えばＨＤＭＩコネクタ５０のカバー５３を半田付け用の脚部を有するカバーに代え、またコンタクト５１をこれとリード端子部が異なるコンタクトに代えることで、ＨＤＭＩコネクタ５０をｅＳＡＴＡコネクタ７０と複合一体化しない状態で単体としても使用することができ、このような部品の共用化によりコスト削減も行うことができる。
【００３３】
また、複合型コネクタ１は、シェル３０の左右の第１のバネ部３３ａ，３３ｂが、自由端部（前端部）をボディ１０のコネクタボディ部１０Ａの下部に突出し、ケース４０左右の第１のバネ部４２ａ，４２ｂが、自由端部（前端部）をボディ１０のコネクタボディ部１０Ａの上部に突出するため、シェル３０の左右の第１のバネ部３３ａ，３３ｂ及びケース４０左右の第１のバネ部４２ａ，４２ｂは、ｅＳＡＴＡコネクタ７０にｅＳＡＴＡプラグを嵌合時（接続時）、そのｅＳＡＴＡプラグの上面と下面の金属部分に自由端部を圧接し、ｅＳＡＴＡプラグを保持し、意図しない抜け落ちを防止すると共に、ｅＳＡＴＡプラグの上面と下面の金属部分をケース４０に電気的に接続する。
【００３４】
以下、本発明の第２の実施の形態を図１５〜図２１を参照して説明する。図１５は本発明の第２の実施の形態に係る複合型コネクタの前面斜視図、図１６は同複合型コネクタの後面斜視図、図１７は同複合型コネクタの下面斜視図、図１８は同複合型コネクタのボディの前面斜視図、図１９は同複合型コネクタのシェルの前面斜視図、図２０は同複合型コネクタのカバーの前面斜視図、図２１は同複合型コネクタの第２のコネクタ（ＨＤＭＩコネクタ）の前面斜視図である。なお、本発明の第１の実施の形態に係る複合型コネクタと同じ構造は、同じ符号を付してその詳しい説明を省略し、異なる構造のみを説明する。
【００３５】
図１５〜図２１に示すように、複合型コネクタ１００は、ＨＤＭＩコネクタ５０の各コンタクト５１が、ＨＤＭＩコネクタ５０の後面側に引き出された後、真っ直ぐに下方に向けて延出され、先端部が複合型コネクタ２の下面から下方に突出している。つまりＨＤＭＩコネクタ５０の各コンタクト５１が、ディップタイプのリード端子部１５１ａを有している。しかも各リード端子部１５１ａは４列で千鳥状に配列されている。他方、ｅＳＡＴＡコネクタ７０の各コンタクト６０が、ｅＳＡＴＡコネクタ７０の後面側に引き出された後、Ｚ曲げされて、下方に向けて延出され、先端部がボディ本体１１の左右側壁１１ａの後端間でボディ本体１１の左右側壁１１ａの下端と略同一高さに揃えられて横一列に配列されている。つまりｅＳＡＴＡコネクタ７０の各コンタクト６０が、ＳＭＴタイプのリード端子部１６０ａを有している。このように、ＨＤＭＩコネクタ５０の各コンタクト５１のリード端子部１５１ａを４列で千鳥状に配列することにより、ｅＳＡＴＡコネクタ７０の各コンタクト６０のリード端子部１６０ａをＳＭＴタイプ、ＨＤＭＩコネクタ５０の各コンタクト５１のリード端子部１５１ａをディップタイプとした複合型コネクタ１００も構成することができる。
【００３６】
また、複合型コネクタ１００は、ケース本体４１の上側板部の後側縁に折り目等の弱め手段を介して連設し、組み立て時はケース本体４１の上側板部から連続して後方に水平に突出し、ｅＳＡＴＡコネクタ７０の各コンタクト６０をボディ１０に組み付けた後で、曲げ加工によってケース本体４１の上側板部の後側縁から下方に垂直に突出し、複合型コネクタ１００の後面側（リード端子部１５１ａ，１６０ａ側）の電磁波シールドを構成する後側板部（背面板部）１４１ａを、ケース４０に付加している。
【００３７】
また、複合型コネクタ１００は、複合型コネクタ１の仕切り壁２０より高さ（厚み）が高い（厚い）仕切り壁１２０をボディ１０が有すると共に、その仕切り壁１２０に応じたシェル本体１３１をシェル３０が有している。このことから明らかなように、ｅＳＡＴＡコネクタ７０とＨＤＭＩコネクタ５０との仕切り部１０Ｃの高さを変更することにより、ｅＳＡＴＡコネクタ７０とＨＤＭＩコネクタ５０との相対間隔を変更することができる。
【００３８】
また、複合型コネクタ１００は、ケース本体４１の前面左右両側ではなく、ケース本体４１の前面上側に突出するケース固定用フランジ１４７をケース３０が有している。これにより、横方向（幅方向）のコネクタ実装占有寸法をさらに削減することができる。
【００３９】
以上、第１及び第２の実施の形態は本発明の好適な実施の形態を示したが、本発明はそれに限定されることなく、その要旨を逸脱しない範囲内で種々変形実施することができる。例えばｅＳＡＴＡコネクタ７０を仕切り部１０Ｃの下側、ＨＤＭＩコネクタ５０を仕切り部１０Ｃの上側に配置して、これらｅＳＡＴＡコネクタ７０とＨＤＭＩコネクタ５０とを複合一体化することでも、同様の機能、効果を得ることができる。
【図面の簡単な説明】
【００４０】
【図１】本発明の第１の実施の形態に係る複合型コネクタ１の前面斜視図である。
【図２】同複合型コネクタ１の後面斜視図である。
【図３】同複合型コネクタ１の断面図である。
【図４】同複合型コネクタ１のボディの前面斜視図である。
【図５】同複合型コネクタ１のシェルの前面斜視図である。
【図６】同複合型コネクタ１のカバーの前面斜視図である。
【図７】同複合型コネクタ１の第２のコネクタ（ＨＤＭＩコネクタ）の前面斜視図である。
【図８】同複合型コネクタ１の第１の組み立て工程を示す前面斜視図である。
【図９】同複合型コネクタ１の第１の組み立て工程後の前面斜視図である。
【図１０】同複合型コネクタ１の第２の組み立て工程を示す前面斜視図である。
【図１１】同複合型コネクタ１の第２の組み立て工程後の前面斜視図である。
【図１２】同複合型コネクタ１の第２の組み立て工程後の断面図である。
【図１３】同複合型コネクタ１の第３の組み立て工程を示す前面斜視図である。
【図１４】同複合型コネクタ１の第３の組み立て工程を示す後面斜視図である。
【図１５】本発明の第２の実施の形態に係る複合型コネクタ１００の前面斜視図である。
【図１６】同複合型コネクタ１００の後面斜視図である。
【図１７】同複合型コネクタ１００の下面斜視図である。
【図１８】同複合型コネクタ１００のボディの前面斜視図である。
【図１９】同複合型コネクタ１００のシェルの前面斜視図である。
【図２０】同複合型コネクタ１００のカバーの前面斜視図である。
【図２１】同複合型コネクタ１００の第２のコネクタ（ＨＤＭＩコネクタ）の前面斜視図である。
【符号の説明】
【００４１】
１  複合型コネクタ
１００  複合型コネクタ
１０  ボディ
１０Ａ  コネクタボディ部
１０Ｂ  コネクタ装着部
１０Ｃ  仕切り部
３０  シェル
３３ａ，３３ｂ  第１のバネ部
３４ａ，３４ｂ  第２のバネ部
３５ａ，３５ｂ  第３のバネ部
４０  ケース
５０  ＨＤＭＩコネクタ（第２のコネクタ）
６０  コンタクト
７０  ｅＳＡＴＡコネクタ（第１のコネクタ）
【図１】
2007172907.tif 000003
【図２】
2007172907.tif 000004
【図３】
2007172907.tif 000005
【図４】
2007172907.tif 000006
【図５】
2007172907.tif 000007
【図６】
2007172907.tif 000008
【図７】
2007172907.tif 000009
【図８】
2007172907.tif 000010
【図９】
2007172907.tif 000011
【図１０】
2007172907.tif 000012
【図１１】
2007172907.tif 000013
【図１２】
2007172907.tif 000014
【図１３】
2007172907.tif 000015
【図１４】
2007172907.tif 000016
【図１５】
2007172907.tif 000017
【図１６】
2007172907.tif 000018
【図１７】
2007172907.tif 000019
【図１８】
2007172907.tif 000020
【図１９】
2007172907.tif 000021
【図２０】
2007172907.tif 000022
【図２１】
2007172907.tif 000023